(57)【要約】【課題】本発明は、オーディオアンプの電源オフ時のショックノイズをユーザが感知できない程度に低減できるオーディオアンプを提供することを目的とする。【解決手段】音声信号を増幅し出力トランジスタＭ１，Ｍ２を介して出力端子５０から出力するオーディオアンプにおいて、電源オフの指示信号を供給されたとき出力トランジスタを強制的にオフして前記出力端子をハイインピーダンスとする制御トランジスタＭ３，Ｍ４を有する【選択図】図１
2007208485.tif 000002
【特許請求の範囲】
【請求項１】
音声信号を増幅し出力トランジスタを介して出力端子から出力するオーディオアンプにおいて、
電源オフの指示信号を供給されたとき前記出力トランジスタを強制的にオフして前記出力端子をハイインピーダンスとする制御トランジスタを
有することを特徴とするオーディオアンプ。
【請求項２】
請求項１記載のオーディオアンプにおいて、
前記出力トランジスタは、高電圧の電源と前記出力端子間にソースとドレインを接続されゲートに正の音声信号を供給されるｐチャネル電界効果トランジスタと、低電圧の電源と前記出力端子間にソースとドレインを接続されゲートに負の音声信号を供給されるｎチャネル電界効果トランジスタとよりなることを特徴とするオーディオアンプ。
【請求項３】
請求項２記載のオーディオアンプにおいて、
前記制御トランジスタは、前記高電圧の電源と前記ｐチャネル電界効果トランジスタのゲート間にソースとドレインを接続されゲートに前記電源オフの指示信号に基づく制御信号を供給されるｐチャネル電界効果トランジスタと、前記低電圧の電源と前記ｎチャネル電界効果トランジスタのゲート間にソースとドレインを接続されゲートに前記制御信号の反転信号を供給されるｎチャネル電界効果トランジスタとよりなることを特徴とするオーディオアンプ。
【発明の詳細な説明】
【技術分野】
【０００１】
本発明はオーディオアンプに関し、音声信号を増幅し出力トランジスタを介して出力端子から出力するオーディオアンプに関する。
【背景技術】
【０００２】
図４は、従来のオーディオアンプの電源オン時の状態遷移図を示す。電源オフ状態のオーディオアンプに電源オンの指示信号を供給する（１）。
【０００３】
オーディオアンプのボリュームを最小値（ミュートオン）で起動を行い、オーディオアンプの基準電圧であるバイアスを徐々に立ち上げる（２）。
【０００４】
バイアスが９０％以上となると、オーディオアンプの出力端子をハイインピーダンスからローインピーダンスとして音声信号を出力する（３）。ボリューム最小値（ミュートオン）からボリュームを所定値（ミュートオフ）まで立ち上げるのに約３０ｍｓｅｃかけて、電源オン時のショックノイズを低減している。
【０００５】
図５は、従来のオーディオアンプの電源オフ時の状態遷移図を示す。電源オン状態のオーディオアンプに電源オフの指示信号を供給する（４）。
【０００６】
オーディオアンプのボリュームを所定値（ミュートオフ）として起動を行い、オーディオアンプの基準電圧であるバイアスを徐々に立ち下げる（５）。
【０００７】
バイアスが１０％以下となると、オーディオアンプの出力端子をローインピーダンスからハイインピーダンスとして音声信号の出力を停止する（６）。ボリューム所定値（ミュートオフ）からボリューム最小値（ミュートオン）まで立ち下げるのに約３０ｍｓｅｃかけて、電源オフ時のショックノイズを低減している。
【０００８】
なお、特許文献１には、音声信号を増幅するアンプのバイアス電位Ｖｒｅｆを生成してアンプ５０に供給すると共に、ミュートオン時に音声信号を前記バイアス電位と同電位に制限してアンプ５０に供給するバイアス及びリミッタ回路であって、所定のリミッタ基準電位Ｖｏをベース・エミッタ間電圧だけシフトして前記音声信号を制限する第１トランジスタＱＡ１９及び第２トランジスタＱＡ２７と、リミッタ基準電位Ｖｏをベース・エミッタ間電圧だけシフトしてバイアス電位Ｖｒｅｆを生成する第３トランジスタＱＢ１及び第４トランジスタＱＢ２を有し、バイアス電位Ｖｒｅｆとリミッタ基準電位Ｖｏとの間のオフセットの発生を防止してミュートオフ／オンの切り替わり時のボツ音の発生を低減する回路が記載されている。
【特許文献１】特開２００４−１７９７５７公報
【発明の開示】
【発明が解決しようとする課題】
【０００９】
従来のオーディオアンプの電源オフ時には、アンプの基準電圧であるバイアスを徐々に立ち下げ、約３０ｍｓｅｃ経過してバイアスが１０％以下となった時点で出力端子をハイインピーダンスに切替えているため、バイアスを立ち下げる間にオーディオアンプ出力の音声信号の電圧変動とミュートモードの切替えが僅かなノイズを発生するという問題があった。
【００１０】
本発明は、上記の点に鑑みなされたものであり、オーディオアンプの電源オフ時のショックノイズをユーザが感知できない程度に低減できるオーディオアンプを提供することを目的とする。
【課題を解決するための手段】
【００１１】
本発明のオーディオアンプは、音声信号を増幅し出力トランジスタを介して出力端子から出力するオーディオアンプにおいて、
電源オフの指示信号を供給されたとき前記出力トランジスタを強制的にオフして前記出力端子をハイインピーダンスとする制御トランジスタを有することにより、オーディオアンプの電源オフ時のショックノイズをユーザが感知できない程度に低減できる。
【００１２】
前記オーディオアンプにおいて、
前記出力トランジスタは、高電圧の電源と前記出力端子間にソースとドレインを接続されゲートに正の音声信号を供給されるｐチャネル電界効果トランジスタと、低電圧の電源と前記出力端子間にソースとドレインを接続されゲートに負の音声信号を供給されるｎチャネル電界効果トランジスタとよりなることができる。
【００１３】
前記オーディオアンプにおいて、
前記制御トランジスタは、前記高電圧の電源と前記ｐチャネル電界効果トランジスタのゲート間にソースとドレインを接続されゲートに前記電源オフの指示信号に基づく制御信号を供給されるｐチャネル電界効果トランジスタと、前記低電圧の電源と前記ｎチャネル電界効果トランジスタのゲート間にソースとドレインを接続されゲートに前記制御信号の反転信号を供給されるｎチャネル電界効果トランジスタとよりなることができる。
【発明の効果】
【００１４】
本発明によれば、オーディオアンプの電源オフ時のショックノイズをユーザが感知できない程度に低減できる。
【発明を実施するための最良の形態】
【００１５】
以下、図面に基づいて本発明の実施形態について説明する。
【００１６】
＜回路構成＞
図１は、本発明のオーディオアンプの一実施形態の回路構成図を示す。同図中、オーディオアンプは、増幅部１０と制御部２０と出力部３０から構成されている。増幅部１０は端子１１から供給される音声信号を増幅して得たプッシュプル方式の正負２系統の音声信号を出力部３０に供給する。
【００１７】
制御部２０は、端子２１から電源オンまたは電源オフの指示信号を供給され、この指示信号に従って増幅部１０の基準電圧であるバイアスの制御、及びボリューム（ミュート）制御を行い、更に、出力部３０のインピーダンスの制御を行う。
【００１８】
出力部３０は、音声出力用のｐチャネル電界効果型トランジスタＭ１及びｎチャネル電界効果型トランジスタＭ２と、インピーダンス制御用のｐチャネル電界効果型トランジスタＭ３及びｎチャネル電界効果型トランジスタＭ４と、インバータ３１から構成されている。
【００１９】
トランジスタＭ１はソースを電源ＶＤＤに接続され、ドレインを出力端子５０に接続され、ゲートには増幅部１０から正の音声信号が供給される。トランジスタＭ２はドレインを出力端子５０に接続され、ソースを接地され、ゲートには増幅部１０から負の音声信号が供給される。トランジスタＭ１，Ｍ２はプッシュプル方式で駆動して出力端子５０から音声信号を出力する。
【００２０】
トランジスタＭ３はソースを電源ＶＤＤに接続され、ドレインをトランジスタＭ１のゲートに接続され、ゲートには制御部２０からインピーダンス制御信号が供給される。トランジスタＭ４はドレインをトランジスタＭ２のゲートに接続され、ソースを接地され、ゲートには制御部２０からのインピーダンス制御信号をインバータ３１で反転した信号が供給される。
【００２１】
インピーダンス制御信号がハイレベルのとき、トランジスタＭ３，Ｍ４はオフしてトランジスタＭ１，Ｍ２のゲートに正負の音声信号が供給され、トランジスタＭ１，Ｍ２はプッシュプル動作を行って、ローインピーダンスの出力端子５０から音声信号を出力する。
【００２２】
インピーダンス制御信号がローレベルとなると、トランジスタＭ３，Ｍ４はオンしてトランジスタＭ１，Ｍ２を強制的にオフし、これにより出力端子５０はハイインピーダンスとなる。
【００２３】
出力端子５０には負荷としての抵抗Ｒ１とコンデンサＣ１の直列接続回路が接続され、コンデンサＣ１の他端は接地されている。
【００２４】
＜電源オン時の状態遷移＞
本発明のオーディオアンプの電源オン時の状態遷移は従来の図４と同一である。すなわち、電源オフ状態のオーディオアンプに端子２１から電源オンの指示信号を供給する（１）。
【００２５】
制御部２０は増幅部１０のボリュームを最小値（ミュートオン）で起動を行い、制御部２０は増幅部１０の基準電圧であるバイアスを徐々に立ち上げる（２）。
【００２６】
バイアスが９０％以上となると、制御部２０はインピーダンス制御信号をローレベルからハイレベルに切替えて出力端子５０をハイインピーダンスからローインピーダンスとして音声信号を出力する（３）。ボリューム最小値（ミュートオン）からボリュームを所定値（ミュートオフ）まで立ち上げるのに約３０ｍｓｅｃかけて、電源オン時のショックノイズを低減する。
【００２７】
＜電源オフ時の状態遷移＞
図２は、本発明のオーディオアンプの電源オフ時の状態遷移図を示す。電源オン状態のオーディオアンプに端子２１から電源オフの指示信号を供給する（７）。
【００２８】
制御部２０はインピーダンス制御信号をハイレベルからローレベルに切替えて出力端子５０をローインピーダンスからハイインピーダンスとし、その後、増幅部１０の基準電圧であるバイアスを徐々に立ち下げる（８）。
【００２９】
＜オーディオアンプの信号波形＞
図３に、電源オンから電源オフまでのオーディオアンプの各部の信号波形図を示す。図３（Ａ）に示すように、時刻ｔ１に指示信号が電源オンを指示すると、増幅部１０の基準電圧であるバイアスは図３（Ｂ）に示すように徐々に立ち上がる。これによって、出力端子５０の音声信号電圧は図３（Ｃ）の実線で示すように徐々に立ち上がる。
【００３０】
図３（Ａ）に示す時刻ｔ２に指示信号が電源オフを指示すると、増幅部１０の基準電圧であるバイアスは図３（Ｂ）に示すように徐々に立ち下がる。また、制御部２０は時刻ｔ２で出力端子５０をローインピーダンスからハイインピーダンスに切替えるため、出力端子５０の音声信号電圧は図３（Ｃ）の実線で示すように時刻ｔ２から自然放電で緩やかに立ち下がる。
【００３１】
なお、従来は、時刻ｔ２から増幅部１０の基準電圧であるバイアスを徐々に立ち下げてバイアスが１０％以下となった時点ｔ３で出力端子をハイインピーダンスに切替えているため、出力端子５０の音声信号電圧は図３（Ｃ）に破線で示すように変化し、ｔ２〜ｔ３間の音声信号の電圧変動とミュートモードの切替えが僅かながらノイズとなる。
【００３２】
これに対し、本発明では、出力端子５０の音声信号電圧は図３（Ｃ）の実線で示すように、従来に比して緩やかとなり、ほとんどノイズを発生することがない。すなわち、ノイズをユーザが感知できない程度に低減できる。
【００３３】
なお、トランジスタＭ１，Ｍ２が請求項記載の出力トランジスタに相当し、トランジスタＭ３，Ｍ４が制御トランジスタに相当し、電源ＶＤＤが高電圧の電源に相当し、接地が低電圧の電源に相当する。
【図面の簡単な説明】
【００３４】
【図１】本発明のオーディオアンプの一実施形態の回路構成図である。
【図２】本発明のオーディオアンプの電源オフ時の状態遷移図である。
【図３】電源オンから電源オフまでのオーディオアンプの各部の信号波形図である。
【図４】従来のオーディオアンプの電源オン時の状態遷移図である。
【図５】従来のオーディオアンプの電源オフ時の状態遷移図である。
【符号の説明】
【００３５】
１０  増幅部
１１，２１  端子
２０  制御部
３０  出力部
３１  インバータ
Ｃ１  コンデンサ
Ｍ１  音声出力用のｐチャネル電界効果型トランジスタ
Ｍ２  音声出力用のｎチャネル電界効果型トランジスタ
Ｍ３  インピーダンス制御用のｐチャネル電界効果型トランジスタ
Ｍ４  インピーダンス制御用のｎチャネル電界効果型トランジスタ
Ｒ１  抵抗
【図１】
2007208485.tif 000003
【図２】
2007208485.tif 000004
【図３】
2007208485.tif 000005
【図４】
2007208485.tif 000006
【図５】
2007208485.tif 000007